(57)【要約】【課題】装着された記録媒体の記録情報により、前記記録媒体に対する読み取り情報の移動を管理することが可能な画像読取装置及び画像読取システムを提供する。【解決手段】スキャンサービスを行う複合機８０に、原稿の画像を読み取る読取部８０４と、メモリカード９０を装着して信号及び情報を授受する媒体インタフェース部８０７と、媒体インタフェース部８０７を介してメモリカード９０に記録された公開キーを含む情報を読み取り、読取部８０４で読み取られた原稿の画像データを、公開キーにより暗号化し、暗号化された画像データを、媒体インタフェース部８０７を介してメモリカード９０に書き込む処理部８０１と、を備える。複合機８０によるスキャン後、所定のレジにおいて、メモリカード９０内の暗号化済み画像データを復号化し、スキャンサービスの利用料金を精算する。【選択図】        図３
2004357024.tif 000002
【特許請求の範囲】
【請求項１】
原稿の画像を読み取る画像読取手段と、所定の記録媒体を装着して情報を授受する記録媒体装着手段と、前記記録媒体装着手段を介して前記所定の記録媒体に記録された所定の情報を読み取る情報読取手段と、前記画像読取手段で読み取られた原稿の画像情報を、前記情報読取手段で読み取られた前記所定の情報により暗号化する暗号化手段と、前記暗号化手段で暗号化された前記画像情報を、前記記録媒体装着手段を介して前記所定の記録媒体に書き込む情報書込手段と、を備えたことを特徴とする画像読取装置。
【請求項２】
前記画像読取手段で読み取られた原稿の画像情報を縮小する画像縮小手段を備え、
前記情報書込手段が、前記画像縮小手段で取得された縮小画像情報を、前記記録媒体装着手段を介して前記所定の記録媒体に書き込むようにしたことを特徴とする請求項１に記載の画像読取装置。
【請求項３】
所定の記録媒体を装着して情報を授受する第１の記録媒体装着手段と、第１の記録媒体装着手段を介して前記所定の記録媒体に、所定の情報を書き込む第１の情報書込手段と、を備えた記録媒体装着装置と、
原稿の画像を読み取る画像読取手段と、前記所定の記録媒体を装着して情報を授受する第２の記録媒体装着手段と、第２の記録媒体装着手段を介して前記所定の記録媒体に記録された所定の情報を読み取る情報読取手段と、前記画像読取手段で読み取られた複数の原稿の画像情報を、前記情報読取手段で読み取られた前記所定の情報により暗号化する暗号化手段と、前記画像読取手段で読み取られた複数の原稿の画像情報を縮小する画像縮小手段と、前記暗号化手段で暗号化された暗号化済み画像情報、及び前記画像縮小手段で取得された縮小画像情報を、第２の記録媒体装着手段を介して前記所定の記録媒体に書き込む第２の情報書込手段と、を備えた画像読取装置と、
を備えたことを特徴とする画像読取システム。
【請求項４】
前記記録媒体装着装置には、前記暗号化済み画像情報及び前記縮小画像情報が書き込まれた後の前記所定の記録媒体が、前記第１の記録媒体装着手段に装着されたとき、前記縮小画像情報により複数の原稿の縮小画像を表示する表示手段と、前記表示手段に表示された前記複数の原稿の縮小画像のいずれかを選択する選択手段と、前記選択手段で選択された前記複数の原稿の縮小画像のいずれかに対応する前記暗号化済み画像情報を復号化する復号化手段と、を備えたことを特徴とする請求項３に記載の画像読取システム。
【発明の詳細な説明】
【０００１】
【発明の属する技術分野】
本発明は、メモリカード等の記録媒体を装着可能な画像読取装置及び画像読取システムに関するものである。
【０００２】
【従来の技術】
近年、メモリカードやＩＣカードの大容量化及び小型化が進み、家庭で用いられるパーソナルコンピュータ（以下「パソコン」という）にも装着可能となっている。また、プリンタ、ファクシミリ装置、複写機などの画像読取装置又は画像形成装置にメモリカードやＩＣカード等の記録媒体を装着し、これらのカードに記録された情報を利用することも提案されている。
【０００３】
従来のＰＯＳ（Ｐｏｉｎｔ  Ｏｆ  Ｓａｌｅｓ）装置（「画像読取装置」に相当する）は、非接触型ＩＣカードを記録された個人情報を読み取り、この個人情報に応じて操作可能状態に移行するようにしている（例えば、特許文献１参照）。
【０００４】
また、ファクシミリ装置（「画像読取装置」に相当する）にＰＣカードアダプタを有するオプションボードを装着し、このオプションボードを介して通信ネットワークへ接続するとき、送受信に関するデータをＰＣカード型メモリに一旦記憶するようにしているものもある（例えば、特許文献２参照）。
【０００５】
また、異なる複数の認証方法（テンキー入力、指紋入力、ＩＣカード入力）による使用者認証を可能とし、使用者が行った認証の方法に応じて、当該プリンタ（「画像読取装置」に相当する）で指示可能な動作モードを制限しているものもある（例えば、特許文献３参照）。
【０００６】
また、プリント制限枚数、現在プリント枚数をＩＣカードごとに予め設定し、装着されたＩＣカードに記録されたプリント制限枚数、現在プリント枚数に応じてプリント可否を判断するとともに、前記プリント制限枚数、現在プリント枚数を読み取ってプリンタ側に記憶することで、ＩＣカードを取り外した後もプリント枚数を制限可能とし、レーザプリンタ（「画像読取装置」に相当する）の不正使用を防止しているものもある（例えば、特許文献４参照）。
【０００７】
【特許文献１】
特開平５‐３４２４７９号公報（第２頁右下段〜第３頁左上段、図１）
【０００８】
【特許文献２】
特開２００１‐１５６９５９号公報（第４頁右上段、図４）
【０００９】
【特許文献３】
特開２００２‐１８３０９３号公報（第７頁右上段〜第８頁左上段、図７）
【００１０】
【特許文献４】
特開２００１‐３２８３１７号公報（第３頁左下段〜第４頁左下段、図２）
【００１１】
【発明が解決しようとする課題】
しかし、特許文献１のような従来の画像読取装置では、非接触型ＩＣカードを検知すると、この非接触型ＩＣカードに記録された情報に応じて画像読取装置の操作状態を設定しているが、前記情報に応じて画像読取装置から非接触型ＩＣカードに対する情報の移動を制限する点については記載及び示唆がない。
【００１２】
また、特許文献２のような従来の画像読取装置では、外部装置からの送受信に関するデータをＰＣカード型メモリに一旦記憶しているが、このＰＣカード型メモリに記憶されたデータにより、画像読取装置からＰＣカード型メモリに対するデータの移動を制限する点については記載及び示唆がない。
【００１３】
また、特許文献３のような従来の画像読取装置では、ＩＣカード入力を含む認証の方法に応じ、指示可能な動作モードを制限しているが、画像読取装置からＩＣカードに対する情報の移動を制限する点については記載及び示唆がない。
【００１４】
さらに、特許文献４のような従来の画像読取装置では、ＩＣカードに記録したプリント制限枚数、現在プリント枚数により使用者ごとの枚数制限を行っているが、ＩＣカードに記録した情報により、画像読取装置からＩＣカードに対する情報の移動を制限する点については記載及び示唆がない。
【００１５】
本発明は、このような問題を解決するためになされたもので、装着された記録媒体の記録情報により、前記記録媒体に対する読み取り情報の移動を管理することが可能な画像読取装置及び画像読取システムを提供するものである。
【００１６】
【課題を解決するための手段】
請求項１に係る本発明の画像読取装置は、原稿の画像を読み取る画像読取手段と、所定の記録媒体を装着して情報を授受する記録媒体装着手段と、前記記録媒体装着手段を介して前記所定の記録媒体に記録された所定の情報を読み取る情報読取手段と、前記画像読取手段で読み取られた原稿の画像情報を、前記情報読取手段で読み取られた前記所定の情報により暗号化する暗号化手段と、前記暗号化手段で暗号化された前記画像情報を、前記記録媒体装着手段を介して前記所定の記録媒体に書き込む情報書込手段と、を備えた構成を有している。
【００１７】
また、請求項２に係る本発明の画像読取装置は、請求項１において、前記画像読取手段で読み取られた原稿の画像情報を縮小する画像縮小手段を備え、前記情報書込手段が、前記画像縮小手段で取得された縮小画像情報を、前記記録媒体装着手段を介して前記所定の記録媒体に書き込むようにした構成を有している。
【００１８】
さらに、請求項３に係る本発明の画像読取システムは、所定の記録媒体を装着して情報を授受する第１の記録媒体装着手段と、第１の記録媒体装着手段を介して前記所定の記録媒体に、所定の情報を書き込む第１の情報書込手段と、を備えた記録媒体装着装置と、原稿の画像を読み取る画像読取手段と、前記所定の記録媒体を装着して情報を授受する第２の記録媒体装着手段と、第２の記録媒体装着手段を介して前記所定の記録媒体に記録された所定の情報を読み取る情報読取手段と、前記画像読取手段で読み取られた複数の原稿の画像情報を、前記情報読取手段で読み取られた前記所定の情報により暗号化する暗号化手段と、前記画像読取手段で読み取られた複数の原稿の画像情報を縮小する画像縮小手段と、前記暗号化手段で暗号化された暗号化済み画像情報、及び前記画像縮小手段で取得された縮小画像情報を、第２の記録媒体装着手段を介して前記所定の記録媒体に書き込む第２の情報書込手段と、を備えた画像読取装置と、を備えた構成を有している。
【００１９】
また、請求項４に係る本発明の画像読取システムは、請求項３において、前記記録媒体装着装置には、前記暗号化済み画像情報及び前記縮小画像情報が書き込まれた後の前記所定の記録媒体が、前記第１の記録媒体装着手段に装着されたとき、前記縮小画像情報により複数の原稿の縮小画像を表示する表示手段と、前記表示手段に表示された前記複数の原稿の縮小画像のいずれかを選択する選択手段と、前記選択手段で選択された前記複数の原稿の縮小画像のいずれかに対応する前記暗号化済み画像情報を復号化する復号化手段と、を備えた構成を有している。
【００２０】
【発明の実施の形態】
以下、本発明の実施の一形態について、図面を用いて説明する。
これは、コンビニエンスストア（以下「コンビニ」という）などにおけるスキャンサービスに関するものである。近年、パソコンは、低価格化によって広範囲に普及している。一方、パソコンの周辺機器であるスキャナは依然として高価であると共に、家庭用のスキャナによる読み取りデータの品質は、業務用のものに比べて若干劣る。そこで、コンビニなどで可能な複写サービス、ＦＡＸサービス、スキャンサービスを利用し、個々の使用者が持参した原稿を読み取って得られた画像データをメモリカードに蓄積することが考えられる。本願発明者は、画像データの暗号化及び復号化に着目し、原稿を読み取る画像読取装置と、サービスの利用料金を精算するレジ（「課金管理装置」に相当する）とが離間しているとき、確実に利用料金を精算できるようにしている。
【００２１】
図１は、本発明の実施の一形態に係る複合機システムを示す。ここでは、前記複合機システムにより「スキャンサービス」を提供するようにしている。このスキャンサービスは、前記複合機システムの使用者が持参した原稿の画像を読み取り、得られた画像データ（「スキャンデータ」に相当する）をメモリカード（「記録媒体」に相当する）９０に一旦、暗号化して出力し、精算時に、前記画像データのうち、所望のものについて復号化して課金するものである。また、前記スキャンサービスでは、一度精算した後、既にメモリカード９０に暗号化して記録されている画像データのうち、所望のものについて復号化して課金できるようにしている。
【００２２】
図１において、課金管理装置７０は、メモリカード９０が着脱可能であって、複合機８０による「スキャンサービス」の利用登録、及び精算を行うものである。複合機８０は、メモリカード９０が着脱可能であって、「複写機能」、「画像読取機能」、「印刷機能」、「ファクシミリ機能」を有し、スキャンサービスを行うものである。メモリカード（「記録媒体」に相当する）９０は、課金管理装置７０又は複合機８０に装着してスキャンサービスを受けるためのものである。メモリカード９０ａ、９０ｂ、９０ｃには、媒体インタフェース部７０７、８０７によりスキャンサービスの手順（図６、図８に示す）に応じて必要なデータが書き込まれている。
【００２３】
図２は、課金管理装置７０の構成を示す。
図２において、課金管理装置７０は、パソコンを用いて構成されている。処理部８０１は、パソコンの中央処理ユニット（ＣＰＵ）であって、システムバス７０９を介して接続された各部の動作を制御するものである。主記憶部７０２には、リード・オンリー・メモリ（以下、「ＲＯＭ」という）、ランダム・アクセス・メモリ（以下「ＲＡＭ」という）を有し、主記憶部７０２では、処理部７０１によって実行されるプログラム（本実施形態の「スキャンサービス機能（「暗号化機能」、「復号化機能」、「課金機能」を含む）」を実現するためのプログラムを含む）等をＲＯＭに格納し、このＲＯＭに記憶されたプログラムをＲＡＭに一時的に格納すると共にプログラムが使用するデータをＲＡＭに一時的に記憶するようにしている。記憶部７０５は、ハードディスク等の記録媒体と、この記録媒体を駆動する駆動部と、を有し、スキャンサービスの利用登録時に登録された情報、あるいはスキャンサービスに必要な情報（後述の「公開キー１００１」、「秘密キー」、「レジＩＤ１００２」、「ＭＡＰ１００３」を含む）を保存するものである。なお、「公開キー１００１」は、「秘密キー」から作成されたものであり、スキャンデータの暗号化処理に用いられる。また、「秘密キー」は、暗号化されたスキャンデータの復号化処理に用いられる。操作表示部７０６は、タッチパネル付き液晶表示器（ＬＣＤ）を有し、スキャンサービスに関する情報、並びに課金管理装置７０の駆動条件、装置状態、入力条件等の情報を画面表示すると共に、課金管理装置７０の管理者（以下「管理者」ともいう）又は本複合機システムの使用者（以下「使用者」ともいう）による機能選択等の選択入力や設定入力等の入力操作と行うためのものである。媒体インタフェース部７０７は、記録媒体（図１の「メモリカード」に相当する）９０が装着されたことを検出して記録内容を読み取り、スキャンサービスの利用登録時に所定の登録情報をメモリカード９０に書き込むと共に、精算時には、メモリカード９０内のスキャンデータに所定の処理を施し、課金計算するためのものである。なお、媒体インタフェース部７０７は処理部７０１に対して、記録媒体９０を検出したときの検出信号、読み取った記録情報などを送出するようにしている。
【００２４】
図３は、複合機８０の構成を示す。
図３において、処理部８０１は、マイクロプロセッサユニット（ＭＰＵ）等で構成され、システムバス８０９を介して接続された各部の動作を制御するものである。主記憶部８０２には、ＲＯＭ、ＲＡＭを有し、主記憶部８０２では、処理部８０１によって実行されるプログラム（本実施形態の「スキャンサービス機能（「暗号化機能」、「画像縮小機能」を含む）」を実現するためのプログラムを含む）等をＲＯＭに格納し、このＲＯＭに記憶されたプログラムをＲＡＭに一時的に格納すると共にプログラムが使用するデータをＲＡＭに一時的に記憶するようにしている。読取部８０４は、読み取り対象の原稿から画像を読み込むスキャナであって、原稿を載置するための原稿セット部と、この原稿セット部にセットされた原稿を取り出して分離給送する分離給送部と、この分離給送部で分離された原稿を読取位置へ搬送する搬送部と、読取位置で原稿の画像を光学的に読み取り、画像データを生成する画像読取部と、読み取り後の原稿を原稿排紙トレイ等に排紙する原稿排紙部と、前述した各部を駆動する駆動部と、この駆動部を駆動制御する制御部とを有する。記憶部８０５は、ハードディスク等の記録媒体と、この記録媒体を駆動する駆動部と、を有し、読取部８０４によって読み込まれた画像データ、あるいは通信部８０８を介して取得された画像データを保存するものである。出力部８１０は、読取部８０４によって読み込まれた画像データ、あるいは通信部８０８を介して取得された画像データを用いて画像を転写紙に転写するプロッタであって、所定サイズの転写紙を収納した給紙カセット部と、この給紙カセット部に収納された転写紙を取り出して画像形成部へ給送する給紙搬送部と、画像データから画像を形成し、転写紙に転写・定着する画像形成部と、転写・定着後の転写紙を転写排紙トレイ等に排紙する転写排紙部と、前述した各部を駆動する駆動部と、この駆動部を駆動制御する制御部と、を有する。操作表示部８０６は、タッチパネル付き液晶表示器（ＬＣＤ）を有し、スキャンサービスに関する情報、並びに複合機８０の駆動条件、装置状態、入力条件等の情報を画面表示すると共に、本複合機システムの使用者による機能選択等の選択入力や設定入力等の入力操作と行うためのものである。通信部８０８は、複数種類のモデムを有し、ネットワーク上のファクシミリ装置等の通信装置（図示せず）との間で信号や情報（画像データを含む）を授受するものである。媒体インタフェース部８０７は、記録媒体（図１の「メモリカード」に相当する）９０が装着されたことを検出して記録内容を読み取り、この記録内容に応じて所定のスキャンデータをメモリカード９０に書き込むために用いられる。媒体駆動部８０３は、ＣＤ‐ＲＯＭ８８等の記録媒体を装着して駆動し、この記録媒体に記録されたプログラムやデータを読み取るためのものである。前述した各部８０１〜８０８、８１０は、システムバス８１０に接続されている。
【００２５】
なお、複合機８０は、主記憶部８０２のＲＯＭに記憶されたプログラムをＭＰＵ８０１が実行することにより、ネットワーク上の通信装置（「コンピュータ」を含む）から通信部８０８を介して画像データを受け取り、出力部８１０で画像を転写紙に転写する印刷機能と、読取部８０４から読み込まれた画像データを用い、出力部８１０で画像を転写紙に転写する複写機能と、読取部８０４から読み込まれた画像データを前記通信装置に通信部８０８を介して送信するか、又は通信部８０８を介して画像データを受信し、出力部８１０で画像を転写紙に転写するファクシミリ機能と、読取部８０４から読み込まれ、さらに処理部８０１で所定の処理が施された画像データ（「スキャンデータ」に相当する）を、媒体インタフェース部８０７を介してメモリカード９０に出力するスキャンサービス機能と、を実現するようにしている。
【００２６】
図４は、メモリカード９０の構成を示す。
図４において、制御回路９０１は、課金管理装置７０又は複合機８０に装着されたとき、媒体インタフェース部７０７又は媒体インタフェース部８０７との間で、ＲＯＭ９０２およびフラッシュメモリ９０３に記憶された情報を授受し、アクセス制御を行うようにしている。ＲＯＭ９０２には、メモリカード９０を識別するための記録媒体識別情報（例えば、メモリカード固有の「カードＩＤ」に相当する）、メモリカード９０の製造日時等のカード情報等が記憶されている。フラッシュメモリ９０３（図５の９０３ａ、９０３ｂ、９０３ｃに相当する）は、本実施形態のスキャンサービスで提供された「スキャンデータ」、課金管理装置７０の所在を示す「地図情報」等を記録するために用いられる。
【００２７】
ここでは、課金管理装置７０において、スキャンサービスを利用するために所定の情報を登録する「利用登録」を行うようにしている。利用登録済みのメモリカード９０ａのフラッシュメモリ９０３ａには、複合機８０でスキャンデータを暗号化するために用いられる「公開キー１００１」と、課金管理装置７０を識別するための「レジＩＤ１００２」と、「ＭＡＰ（「地図情報」に相当する）１００３」と、が書き込まれている（図５（ａ）に示す）。また、複合機８０では、使用者が持参した原稿を読み取り、スキャンデータ（「画像データ」に相当する）を暗号化してメモリカード９０に書き込むようにしている。原稿読み取り後のメモリカード９０ｂのフラッシュメモリ９０３ｂには、前述したレジＩＤ１００２及び地図情報１００３と、複合機８０で読み取った全原稿の「サムネイルデータ１００４」と、公開キー１００１を用いて暗号化された「スキャンデータ１００５」と、が書き込まれている（図５（ｂ）に示す）。さらに、精算後のメモリカード９０ｃのフラッシュメモリ９０３ｃには、前述したレジＩＤ１００２、地図情報１００３及びサムネイルデータ１００８と、スキャンデータ１００５の所望の一部を復号化して得られた「スキャンデータ１００６」と、スキャンデータ１００６を除く、暗号化されたままの「スキャンデータ１００７」と、が書き込まれている（図５（ｃ）に示す）。ここで、サムネイルデータ１００８は、スキャンデータ１００７に対応するサムネイルデータであり、サムネイルデータ１００４からスキャンデータ１００６に対応するサムネイルデータが削除されたものである。
【００２８】
図６は、本実施形態のスキャンサービスに係る課金管理装置７０の動作を示すフローチャートである。この動作は、処理部７０１（「コンピュータ」に含まれる）に、前記フローチャートのステップを実行させることで実現するものである。
【００２９】
まず、処理部７０１は、操作表示部７０６の画面７０６ａ（図７に示す）に、「１．原稿スキャン」、「２．スキャンデータ更新」、「３．精算」を含むサービスメニューを表示させる（Ｓ１０１）。このサービスメニュー画面には、いずれかのサービスの選択するように促すメッセージが併せて表示される。
【００３０】
次いで、処理部７０１は、媒体インタフェース部７０７からの検出信号により、メモリカード９０が媒体インタフェース部７０７に装着されたか否かを判断する（Ｓ１０２）。この判断が「ＹＥＳ」の場合はＳ１０３に移り、「ＮＯ」の場合には何の処理も行わない。
【００３１】
Ｓ１０３では、操作表示部７０６の操作により、「１．原稿スキャン」が選択されたか否かを判断する。ここでは、Ｓ１０１で表示された画面７０６ａにおいて、課金管理装置７０の管理者又は本複合機システムの使用者が、例えば「１．原稿スキャン」のサービスメニューに触れると、メニュー指定番号欄に該当サービスメニューの番号「１」が表示され、さらに「確認ボタン７０６ｂ」に触れると、「１．原稿スキャン」の情報が、操作表示部７０６から処理部７０１に入力されるので、この情報入力がなされたか否かを判断する。この判断が「ＹＥＳ」の場合はＳ１０４に移り、「ＮＯ」の場合にはＳ１０７に移る。
【００３２】
Ｓ１０４では、新たに「１．原稿スキャン」が選択されたので、処理部７０１は、スキャンサービスに必要な登録情報を記憶部７０５に記憶させる。この登録情報には、前述した公開キー１００１、レジＩＤ１００２、及び地図情報１００３が含まれる。なお、レジＩＤ１００２は、他のレジ（「課金管理装置」に相当する）と間違うことなく、課金管理装置７０で確実に精算するために用いられる。また、地図情報１００３は、次回のサービス利用時に課金管理装置７０の所在を認識するために用いられる。
【００３３】
次いで、処理部７０１は、媒体インタフェース部７０７を介してメモリカード９０のフラッシュメモリ９０３に対し、前述した公開キー１００１、レジＩＤ１００２、及び地図情報１００３を書き込む（Ｓ１０５）。
【００３４】
次いで、処理部７０１は、操作表示部７０６にスキャンサービスの受付終了を示すメッセージを表示させる（Ｓ１０６）。この表示は、利用登録後のメモリカード９０が媒体インタフェース部７０７から取り外されるまで継続される。
【００３５】
また、Ｓ１０３で「ＮＯ」と判断された場合、Ｓ１０７では、操作表示部７０６の操作により、「２．スキャンデータ更新」が選択されたか否かを判断する。ここでは、Ｓ１０３に準じ、処理部７０１が操作表示部７０６からの入力情報を判断する。この判断が「ＹＥＳ」の場合はＳ１０８に移り、「ＮＯ」の場合にはＳ１１５に移る。
【００３６】
Ｓ１０８では、媒体インタフェース部７０７に装着されたメモリカード９０が利用登録済みか否かを判断する。ここでは、メモリカード９０の記録内容に当該レジＩＤ１００２が含まれているか否かを判断する。あるいは、メモリカード９０の記録されたレジＩＤ１００２が、記憶部７０５に記憶されているか否かを判断する。この判断が「ＹＥＳ」の場合はＳ１０９に移り、「ＮＯ」の場合にはＳ１１５に移る。
【００３７】
Ｓ１０９では、媒体インタフェース部７０７を介してメモリカード９０の記録情報から、サムネイルデータ１００８を取得し、操作表示部７０６に画面表示させる。例えば、操作表示部７０６の画面７０６ｃに、サムネイル▲１▼〜▲６▼（「サムネイルデータ１００８」に相当する）から所望のものを選択するための「サムネイル指定番号欄」、「確認ボタン７０６ｄ」が併せて表示される（図８に示す）。
【００３８】
次いで、処理部７０１は、操作表示部７０６の画面上でサムネイルデータ１００４からの選択が終了したか否かを判断する（Ｓ１１０）。ここでは、Ｓ１０９で表示された画面７０６ｃにおいて、管理者又は使用者が、例えば「サムネイル▲１▼」に触れると、サムネイル指定番号欄に該当サムネイルの番号「▲１▼」が表示され、さらに「確認ボタン７０６ｄ」に触れると、「サムネイル▲１▼」の情報が、操作表示部７０６から処理部７０１に入力されるので、いずれかのサムネイルの情報入力がなされたか否かを判断する。この判断が「ＹＥＳ」の場合はＳ１１１に移り、「ＮＯ」の場合にはＳ１１４に移る。
【００３９】
Ｓ１１１では、予め記憶部７０５に記憶された「秘密キー」により、Ｓ１１０で選択されたサムネイルデータに対応する、暗号化済みのスキャンデータ（「スキャンデータ１００７」に含まれる）を復号化して、復号化済みのスキャンデータ（図示せず）を取得する。ここで、処理部７０１は、新たに復号化されたスキャンデータに対応するサムネイルデータを、媒体インタフェース部７０７を介して削除する。
【００４０】
次いで、処理部７０１は、Ｓ１１１で新たに復号化されたスキャンデータについて、スキャンサービス料金を計算する（Ｓ１１２）。このスキャンサービス料金は、例えば「（原稿１枚当りの原稿スキャン料金）＋（原稿１枚当りの更新料金）」に「今回更新した原稿枚数」を乗じて算出する。
【００４１】
次いで、処理部７０１は、操作表示部７０６の画面に、Ｓ１１２で算出されたスキャンサービス料金を表示させる（Ｓ１１３）。例えば、画面７０６ｅに、今回利用したサービスメニューを示す「利用サービス」と、復号化したスキャンデータの数（「原稿枚数」に相当する）を示す「利用枚数」と、サービス料金の合計を示す「請求金額」と、「確認ボタン７０６ｆ」と、が表示される（図９に示す）。ここで、管理者は、使用者に対して前記請求金額を請求し、入金を確認すると確認ボタン７０６ｆに触れる。
【００４２】
次いで、処理部７０１は、Ｓ１１３で表示されたスキャンサービス料金が支払われたか否かを判断する。ここでは、管理者が画面７０６ｅ上の確認ボタン７０６ｆに触れたか否かにより支払終了を判断する。この判断が「ＹＥＳ」の場合は処理を終了し、「ＮＯ」の場合にはＳ１１３に移る。
【００４３】
また、Ｓ１０７の判断が「ＮＯ」の場合、Ｓ１１６では、操作表示部７０６の操作により、「３．精算」が選択されたか否かを判断する。ここでは、処理部７０１が、操作表示部７０６からの入力情報により、メニューが選択されたか否か、選択されたメニューは「３．精算」であるか否かを判断する。この判断が「ＹＥＳ」の場合はＳ１０９に移り、前述した「２．スキャンデータ更新」に準じてＳ１０９〜Ｓ１１４の処理を実行する。また、Ｓ１１６の判断が「ＮＯ」の場合にはＳ１０１に移る。
【００４４】
ここでは、前述したようにメモリカード９０が新たに利用登録されて登録情報が書き込まれ（図５（ａ）に示す）、さらに複合機８０で原稿読み取りが行われ、メモリカードには、原稿画像のサムネイルデータ１００４、暗号化されたスキャンデータ１００５が書き込まれている（図５（ｂ）に示す）。この状態で、図５（ｂ）に示すサムネイルデータ１００４により複数のサムネイルを操作表示部７０６に画面表示し（Ｓ１０９）、管理者又は使用者が操作表示部７０６画面上のサムネイル及び確認ボタン（図８の７０６ｄに相当する）に触れることで所望のサムネイルを選択し、操作表示部７０６から選択されたサムネイルの情報が処理部７０１に入力されると（Ｓ１１０のＹＥＳ）、処理部７０１が該当スキャンデータを復号化する（Ｓ１１１）。こうして復号化したスキャンデータについて課金処理及び課金表示を行い（Ｓ１１２、Ｓ１１３）、管理者が操作表示部７０６画面の確認ボタン（図９の７０６ｆに相当する）に触れることで、処理部７０１が支払終了を確認すると（Ｓ１１４のＹＥＳ）、メモリカード９０を取り外して使用者に渡すことになる。ここで、精算後のフラッシュメモリ９０３ｃ（図５（ｃ）に示す）には、サムネイルデータ１００４の一部に相当するサムネイルデータ１００８が記憶されている。このサムネイルデータ１００８は、複合機８０で取得された全スキャンデータ（「スキャンデータ１００５」に相当する）のうち、復号化済みのスキャンデータ１００６を除いたスキャンデータ（暗号化された「スキャンデータ１００７」に相当する）に対応するものである。
【００４５】
なお、Ｓ１０８の判断が「ＮＯ」の場合、Ｓ１１５では、処理部８０１が操作表示部７０６に「未登録であるために、スキャンデータ更新のサービスが提供できない旨を通知すると共に、新規登録を促すエラーメッセージ」を表示させる。
【００４６】
図１０は、本実施形態のスキャンサービスに係る複合機８０の動作を示すフローチャートである。この動作は、処理部８０１（「コンピュータ」に含まれる）に、前記フローチャートのステップを実行させることで実現するものである。
【００４７】
まず、処理部８０１は、操作表示部８０６に、本実施形態のスキャンサービスの「原稿スキャン」を選択するメニュー画面（「サービス画面」に相当する）を表示させる（Ｓ２０１）。ここで、操作表示部８０６の画面８０６ａには、「１．原稿スキャン」を確認するための「確認ボタン８０６ｂ」が表示される（図１１に示す）。
【００４８】
次いで、処理部８０１は、媒体インタフェース部８０７からの検出信号により、メモリカード９０ａが媒体インタフェース部８０７に装着されたか否かを判断する（Ｓ２０２）。この判断が「ＹＥＳ」の場合はＳ２０３に移り、「ＮＯ」の場合には何の処理も行わない。
【００４９】
Ｓ２０３では、媒体インタフェース部８０７に装着されたメモリカード９０ａが利用登録済みか否かを判断する。ここでは、メモリカード９０の記録内容に当該レジＩＤ１００２が含まれているか否かを判断する。この判断が「ＹＥＳ」の場合はＳ２０４に移り、「ＮＯ」の場合にはＳ２１２に移る。
【００５０】
Ｓ２０４では、Ｓ２０１で表示されたメニュー画面から「原稿スキャン」が選択されたか否かを判断する。ここでは、使用者が画面８０６ａ上の確認ボタン８０６ｂに触れることで、操作表示部８０６から処理部８０１に対する情報入力がなされたか否かを判断する。この判断が「ＹＥＳ」の場合はＳ２０５に移り、「ＮＯ」の場合には何の処理も行わない。
【００５１】
Ｓ２０５では、読取部８０４の原稿セット部に読み取り対象の原稿がセットされたか否かを判断する。ここでは、処理部８０１が、読取部８０４からの原稿セット信号を入力したか否かにより判断する。この判断が「ＹＥＳ」の場合はＳ２０６に移り、「ＮＯ」の場合には何の処理も行わない。
【００５２】
Ｓ２０６では、処理部８０１が読取部８０４に各部を駆動させて原稿の画像を読み取らせ、画像データ（「スキャンデータ」に相当する）を生成させる。読取部８０４で生成されたスキャンデータは、記憶部８０５又は主記憶部８０２のＲＡＭに送られて、保持される。
【００５３】
次いで、処理部８０１は、Ｓ２０６で取得されたスキャンデータから原稿１枚ごとにサムネイルデータを生成する（Ｓ２０７）。処理部８０１で生成されたサムネイルデータ（図５（ｂ）の１００４に相当する）は、記憶部８０５又は主記憶部８０２のＲＡＭに送られて、保持される。
【００５４】
次いで、処理部８０１は、媒体インタフェース部８０７を介してメモリカード９０ａから、予め課金管理装置７０で書き込まれた「公開キー１００１（図５（ａ）に示す）」を読み取り、この公開キー１００１を用い、Ｓ２０６で取得された画像データを暗号化する（Ｓ２０８）。
【００５５】
次いで、処理部８０１は、媒体インタフェース部８０７を介してメモリカード９０ａに対し、Ｓ２０７で取得されたサムネイルデータ、及びＳ２０８で取得された暗号化済みのスキャンデータ（図５（ｂ）の１００５に相当する）を書き込む（Ｓ２０９）。なお、公開キー１００１は削除するようにしている。Ｓ２０９で取得されたメモリカード９０ｂのフラッシュメモリ９０３ｂには、暗号化されていないサムネイルデータ１００４と、暗号化されたスキャンデータ１００５と、レジＩＤ１００２及びＭＡＰ１００３と、が記憶されている（図５（ｂ）に示す）。
【００５６】
次いで、処理部８０１は、操作表示部８０６に原稿の読み取りが終了した旨を画面表示させると共に、レジ（「課金管理装置７０」に相当する）での精算を促すメッセージを画面表示させる（Ｓ２１０）。
【００５７】
次いで、処理部８０１は、媒体インタフェース部８０７からメモリカード９０が取り外されたか否かを判断する（Ｓ２１１）。ここでは、媒体インタフェース部８０７からの検出信号の有無により判断する。この判断が「ＹＥＳ」の場合は処理を終了し、「ＮＯ」の場合にはＳ２１０に移る。
【００５８】
また、Ｓ２０３の判断が「ＮＯ」の場合、Ｓ２１２では、処理部８０１が操作表示部８０６に「未登録であるために、原稿スキャンのサービスが提供できない旨を通知すると共に、レジでの新規登録を促すエラーメッセージ」を表示させる。
【００５９】
以上のように、本発明の実施の一形態に係る複合機８０（「画像読取装置」に相当する）は、原稿の画像を読み取る読取部８０４（「画像読取手段」に相当する）と、メモリカード９０（「所定の記録媒体」に相当する）を装着して信号及び情報を授受する媒体インタフェース部８０７（「記録媒体装着手段」に相当する）と、媒体インタフェース部８０７を介してメモリカード９０に記録された公開キー１００１を含む情報（「所定の情報」に相当する）を読み取る「情報読取手段」としての処理部８０１と、読取部８０４で読み取られた原稿のスキャンデータ（「画像情報」に相当する）を、公開キー１００１により暗号化する「暗号化手段」としての処理部８０１と、スキャンデータ１００５（「暗号化された画像情報」に相当する）を、媒体インタフェース部８０７を介してメモリカード９０に書き込む「情報書込手段」としての処理部８０１と、を備えているので、複合機８０に装着されたメモリカード９０の記録情報により、スキャン後の画像データ（「スキャンデータ」、「読み取り情報」に相当する）を管理することが可能である。ここでは、暗号化によってメモリカード９０へのデータ移動を阻止できる。
【００６０】
また、読取部８０４で読み取られた原稿の画像データを縮小する「画像縮小手段」としての処理部８０１を備え、サムネイルデータ１００４（「縮小画像情報」に相当する）を、媒体インタフェース部８０７を介してメモリカード９０に書き込むようにしているので、メモリカード９０内のスキャンデータ１００５から必要なものを選択することが可能である。
【００６１】
さらに、本発明の実施の一形態に係る複合機システム（「画像読取システム」に相当する）は、メモリカード９０を装着して信号及び情報を授受する媒体インタフェース部７０７（「第１の記録媒体装着手段」に相当する）と、媒体インタフェース部７０７を介してメモリカード９０に、公開キー１００１を含む情報を書き込む処理部７０１（「第１の情報書込手段」に相当する）と、を備えた課金管理装置７０（「記録媒体装着装置」に相当する）と、原稿の画像を読み取る読取部８０４（「画像読取手段」に相当する）と、メモリカード９０を装着して信号及び情報を授受する媒体インタフェース部８０７（「第２の記録媒体装着手段」に相当する）と、媒体インタフェース部８０７を介してメモリカード９０に記録された公開キー１００１を含む情報（「所定の情報」に相当する）を読み取る「情報読取手段」としての処理部８０１と、読取部８０４で読み取られた原稿のスキャンデータを、公開キー１００１により暗号化する「暗号化手段」としての処理部８０１と、読取部８０４で読み取られた複数の原稿のスキャンデータを縮小する「画像縮小手段」としての処理部８０１と、暗号化されたスキャンデータ１００５（「暗号化済み画像情報」に相当する）及びサムネイルデータ１００４（「縮小画像情報」に相当する）を、媒体インタフェース部８０７を介してメモリカード９０に書き込む「第２の情報書込手段」としての処理部８０１と、を備えた複合機８０（「画像読取装置」に相当する）と、を備えているので、スキャンデータを暗号化させるための公開キー１００１をメモリカード９０に登録してから、複合機８０で読み取らせることにより、複合機８０によるスキャンサービスを受けた後、使用者がそのままメモリカード９０を持ち帰ると、スキャンデータが暗号化されているために使用できない。よって、使用者はスキャンサービスを受けた後の精算処理を確実に行うこととなる。
【００６２】
また、課金管理装置７０には、スキャンデータ１００５及びサムネイルデータ１００４が書き込まれた後のメモリカード９０ｂが、媒体インタフェース部７０７に装着されたとき、サムネイルデータ１００４により複数の原稿のサムネイル▲１▼〜▲６▼を表示する「表示手段」としての操作表示部７０６と、表示されたサムネイル▲１▼〜▲６▼のいずれかを選択する「選択手段」としての操作表示部７０６と、選択されたサムネイル▲１▼〜▲６▼のいずれかに対応するスキャンデータを復号化する処理部７０１（「復号化手段」に相当する）と、を備えているので、使用者にとって必要なスキャンデータ１００６をメモリカード９０に記録でき、また、使用者にスキャンサービスの精算処理を確実に行わせることができる。
【００６３】
上述した実施形態では、スキャンサービス前に、メモリカード９０に利用登録して複合機８０の使用許可を与え、かつ、読取部８０４で取得されたスキャンデータを暗号化するための公開キー１００１をメモリカード９０に登録することで、無許可で複合機８０を使用することを阻止すると共に、使用者がスキャンサービスの利用料金を精算せずにメモリカード９０を持ち帰るのを防止できる。
【００６４】
なお、上述した実施形態では暗号化済みのスキャンデータ１００５の一部を復号化したとき、復号化したスキャンデータに対応するサムネイルデータを削除するようにした場合（図５に示す）について説明したが、本発明はこのほかに、全ての読み取りデータ（スキャンデータ）のサムネイルデータを常にメモリカード９０に記録するようにしても同様の効果が得られるものである。この場合、スキャンデータ更新のときに全サムネイルを画面表示するステップ（Ｓ１０９に相当する）と、いずれかのサムネイルが選択されたときに（Ｓ１１０に相当する）、選択されたサムネイルに対応する暗号化済みのスキャンデータがあるか否かを判断するステップと、選択されたサムネイルに対応し、かつ暗号化済みのスキャンデータを復号化するステップ（Ｓ１１１に相当する）と、を設けるようにする。
【００６５】
また、上述した実施形態では「原稿スキャン」、「スキャンデータ更新」、「精算」のサービスについて説明したが、本発明はこのほかに、前記原稿スキャンで取得されたスキャンデータの一部又は全部を複写印刷するサービスを提供するようにしても同様の効果が得られるものである。この場合、例えば、前記スキャンデータの指定部（原稿単位）を復号化して記録紙に出力し、指定部以外のスキャンデータについては暗号化したままで、メモリカード９０に記録するようにしてもよい。
【００６６】
また、上述した実施形態では課金管理装置７０及び複合機８０をそれぞれ１台備えた構成とした場合について説明したが、本発明はこのほかに、複合機８０を複数台設けても同様の効果が得られるものである。この場合は、課金管理装置７０がそれぞれの複合機８０の稼動率を監視し、利用登録時に、複合機８０固有の「スキャナＩＤ」を登録してメモリカード９０に記録し、登録された複合機８０のみでスキャンサービスを受けられるようにしてもよい。こうすることにより、複合機８０を効率的に稼動させることができる。
【００６７】
【発明の効果】
以上説明したように、本発明は画像読取手段（「読取部」に相当する）で読み取られた原稿の画像情報を、情報読取手段（「処理部」に相当する）で所定の記録媒体（「メモリカード」に相当する）から読み取られた所定の情報により暗号化し、暗号化された前記画像情報を、記録媒体装着手段（「媒体インタフェース」に相当する）を介して前記所定の記録媒体に書き込むことにより、装着された記録媒体の記録情報を用いて、前記記録媒体に対する読み取り情報の移動を管理できるという優れた効果を有する画像読取装置を提供することができるものである。
【図面の簡単な説明】
【図１】本発明の実施の一形態に係る画像読取システムの構成を示すブロック図である。
【図２】本発明の実施の一形態に係る課金管理装置の構成を示すブロック図である。
【図３】本発明の実施の一形態に係る複合機の構成を示すブロック図である。
【図４】本発明の実施の一形態に係るメモリカードの構成を示すブロック図である。
【図５】本発明の実施の一形態に係るメモリカードの記録情報の一部を示す図である。
【図６】本発明の実施の一形態に係る課金管理装置の動作を示すフローチャートである。
【図７】本発明の実施の一形態に係る課金管理装置のメニュー画面を示す図である。
【図８】本発明の実施の一形態に係るサムネイル表示画面を示す図である。
【図９】本発明の実施の一形態に係る課金表示画面を示す図である。
【図１０】本発明の実施の一形態に係る複合機の動作を示すフローチャートである。
【図１１】本発明の実施の一形態に係る複合機のメニュー画面を示す図である。
【符号の説明】
７０  課金管理装置
８０  複合機
９０、９０ａ、９０ｂ、９０ｃ  メモリカード（記録媒体）
７０１、８０１  処理部
７０２、８０２  主記憶部
７０５、８０５  記憶部
７０６、８０６  操作表示部
７０７、８０７  媒体インタフェース部
７０９、８０９  システムバス
８０３  媒体駆動部
８０４  読取部
８０８  通信部
８１０  出力部
９０１  制御回路
９０２  ＲＯＭ
９０３  フラッシュメモリ
【図１】
2004357024.tif 000003
【図２】
2004357024.tif 000004
【図３】
2004357024.tif 000005
【図４】
2004357024.tif 000006
【図５】
2004357024.tif 000007
【図６】
2004357024.tif 000008
【図７】
2004357024.tif 000009
【図８】
2004357024.tif 000010
【図９】
2004357024.tif 000011
【図１０】
2004357024.tif 000012
【図１１】
2004357024.tif 000013